(57)【要約】      （修正有）【課題】通気性を有し、下衣と着用者との間に熱や湿気がこもることを防ぐことができる下衣を提供する。【解決手段】本体部とウエストベルト部を有する下衣１であり、ウエストベルト部の肌面側に配されているメッシュ地１３と、ウエストベルト部の外面側に配されている布地１４とを有し、布地１４は、ウエストベルト部の周方向において少なくとも一部が下部の止め付けを行わずに浮かせた状態としたフラシ布１５である。【選択図】図３
0003215415.tif 000002
【実用新案登録請求の範囲】
【請求項１】
本体部とウエストベルト部を有する下衣であり、
前記ウエストベルト部の肌面側に配されているメッシュ地と、
前記ウエストベルト部の外面側に配されている布地とを有し、
前記布地は、前記ウエストベルト部の周方向において少なくとも一部がフラシ布であることを特徴とする下衣。
【請求項２】
前記メッシュ地は、前記ウエストベルト部の前身頃よりも後ろ身頃に多く設けられている請求項１に記載の下衣。
【請求項３】
前記メッシュ地のＪＩＳ  Ｌ１０９６  Ａ法（フラジール形法）に基づき測定される通気度は、１００ｃｍ３／ｃｍ２・ｓ以上である請求項１または２に記載の下衣。
【請求項４】
前記布地の幅は、前記メッシュ地の幅よりも長い請求項１〜３のいずれか一項に記載の下衣。
【請求項５】
前記布地は、前記布地の下部と前記本体部の前身頃および後ろ身頃の少なくともいずれか一方とが接合されている布地接合部分を有しており、
前記布地の下部における前記布地接合部分の合計長さは、前記フラシ布の周方向の合計長さよりも短い請求項１〜４のいずれか一項に記載の下衣。
【請求項６】
ベルトループ部材を有しており、
前記ベルトループ部材の長さは、前記布地の幅よりも長い請求項１〜５のいずれか一項に記載の下衣。
【請求項７】
前記ベルトループ部材は、前記ベルトループ部材の一方端部、他方端部、および中間部において前記本体部および前記ウエストベルト部の少なくともいずれか一方に接合されており、
前記ベルトループ部材の前記一方端部は、前記布地の下端部よりも上側に接合されており、
前記ベルトループ部材の前記中間部は、前記布地の下端部よりも下側に接合されており、
前記ベルトループ部材の前記他方端部は、前記布地の下端部よりも上側であり前記布地の上端部よりも下側、かつ前記ベルトループ部材の前記一方端部の接合部分よりも下側に接合されている請求項６に記載の下衣。
【請求項８】
前記前身頃において、前記布地の下部における前記布地接合部分の合計長さは、前記フラシ布の周方向の合計長さよりも長い請求項５に記載の下衣。
【請求項９】
前記後ろ身頃において、前記布地の下部における前記布地接合部分の長さは、前記ベルトループ部材と前記本体部とが接合されているベルトループ接合部分の長さよりも短い請求項６または７に記載の下衣。
【請求項１０】
ベルトループ部材を有しており、
前記布地接合部分と前記ベルトループ部材とは、互いに重なり合わない請求項５〜９のいずれか一項に記載の下衣。
【請求項１１】
前記ウエストベルト部の上部に伸縮部材が設けられている請求項１〜１０のいずれか一項に記載の下衣。
【請求項１２】
前記本体部は、前記後ろ身頃にヨークを有しており、
前記ヨークは、前記ウエストベルト部の周方向において少なくとも一部がフラシ布である請求項１〜１１のいずれか一項に記載の下衣。
【請求項１３】
前記ヨークは、前記ヨークの下部と前記本体部の後ろ身頃とが接合されているヨーク接合部分を有しており、
前記ヨークの下部における前記ヨーク接合部分の合計長さは、前記ヨークの前記フラシ布の周方向の合計長さよりも短い請求項１２に記載の下衣。
【請求項１４】
パンツである請求項１〜１３のいずれか一項に記載の下衣。
【請求項１５】
ゴルフ用である請求項１〜１４のいずれか一項に記載の下衣。
【考案の詳細な説明】
【技術分野】
【０００１】
本考案は下衣に関するものであり、詳細にはウエストベルト部の周方向において少なくとも一部がフラシ布である下衣に関するものである。
【背景技術】
【０００２】
パンツやスカート等の下半身に着用する衣料である下衣は、着用者の腰部に密着しているために着用者の体温や汗によって蒸れやすく、不快な状態となりやすい。また、下衣のずれを防止して身体に固定するためにベルトを使用することも多いが、ベルトを用いると着用者の腰部と下衣との密着度がより高くなるため、着用者と下衣との間に熱や湿気がこもりやすく不快感が増してしまう。この状態を軽減するために、例えば特許文献１には、ベルトの内面に付着する汗を吸着して、大気中に気化放出する汗除去構造が設けられており、汗除去構造が通気可能な表装材とその内面に配置される吸湿機能および放湿機能を備えた裏材とで構成されていることを特徴とするベルトが記載されている。
【先行技術文献】
【特許文献】
【０００３】
【特許文献１】特開２００５−２１３６６０号公報
【考案の概要】
【考案が解決しようとする課題】
【０００４】
しかし、ベルトが吸湿機能や放湿機能を有していても、ベルトよりも着用者側に下衣が存在しているため、汗はベルトよりも下衣に吸着されやすい。そのため、このようなベルトを用いても、着用者と下衣との間に熱や湿気がこもることを十分に軽減することはできない。
【０００５】
本考案は前記事情に鑑みてなされたものであり、その目的は、着用者との間の熱や湿気を外部に十分放出することができる下衣を提供することにある。
【課題を解決するための手段】
【０００６】
前記課題を解決することができた本考案の下衣は、本体部とウエストベルト部を有する下衣であり、ウエストベルト部の肌面側に配されているメッシュ地と、ウエストベルト部の外面側に配されている布地とを有し、布地は、ウエストベルト部の周方向において少なくとも一部がフラシ布であることを特徴とするものである。
【０００７】
本考案の下衣において、メッシュ地は、ウエストベルト部の前身頃よりも後ろ身頃に多く設けられていることが好ましい。
【０００８】
本考案の下衣において、メッシュ地のＪＩＳ  Ｌ１０９６  Ａ法（フラジール形法）に基づき測定される通気度は、１００ｃｍ３／ｃｍ２・ｓ以上であることが好ましい。
【０００９】
本考案の下衣において、布地の幅は、メッシュ地の幅よりも長いことが好ましい。
【００１０】
本考案の下衣において、布地は、布地の下部と本体部の前身頃および後ろ身頃の少なくともいずれか一方とが接合されている布地接合部分を有しており、布地の下部における布地接合部分の合計長さは、フラシ布の周方向の合計長さよりも短いことが好ましい。
【００１１】
本考案の下衣において、ベルトループ部材を有しており、ベルトループ部材の長さは、布地の幅よりも長いことが好ましい。
【００１２】
本考案の下衣において、ベルトループ部材は、ベルトループ部材の一方端部、他方端部、および中間部において本体部およびウエストベルト部の少なくともいずれか一方に接合されており、ベルトループ部材の一方端部は、布地の下端部よりも上側に接合されており、ベルトループ部材の中間部は、布地の下端部よりも下側に接合されており、ベルトループ部材の他方端部は、布地の下端部よりも上側であり布地の上端部よりも下側、かつベルトループ部材の一方端部の接合部分よりも下側に接合されていることが好ましい。
【００１３】
本考案の下衣は、前身頃において、布地の下部における布地接合部分の合計長さは、フラシ布の周方向の合計長さよりも長いことが好ましい。
【００１４】
本考案の下衣は、後ろ身頃において、布地の下部における布地接合部分の長さは、ベルトループ部材と本体部とが接合されているベルトループ接合部分の長さよりも短いことが好ましい。
【００１５】
本考案の下衣において、ベルトループ部材を有しており、布地接合部分とベルトループ部材とは、互いに重なり合わないことが好ましい。
【００１６】
本考案の下衣において、ウエストベルト部の上部に伸縮部材が設けられていることが好ましい。
【００１７】
本考案の下衣において、本体部は、後ろ身頃にヨークを有しており、ヨークは、ウエストベルト部の周方向において少なくとも一部がフラシ布であることが好ましい。
【００１８】
本考案の下衣において、ヨークは、ヨークの下部と本体部の後ろ身頃とが接合されているヨーク接合部分を有しており、ヨークの下部におけるヨーク接合部分の合計長さは、ヨークのフラシ布の周方向の合計長さよりも短いことが好ましい。
【００１９】
本考案の下衣において、パンツであることが好ましい。
【００２０】
本考案の下衣において、ゴルフ用であることが好ましい。
【考案の効果】
【００２１】
本考案の下衣は、本体部とウエストベルト部を有する下衣であり、ウエストベルト部の肌面側に配されているメッシュ地と、ウエストベルト部の外面側に配されている布地とを有し、布地は、ウエストベルト部の周方向において少なくとも一部がフラシ布であることを特徴とする。下衣がこのような構成であることにより、下衣に通気性を持たせることができ、下衣と着用者との間に熱や湿気がこもることを防ぐことができる。
【図面の簡単な説明】
【００２２】
【図１】本考案の実施の形態における下衣の前面を表す。
【図２】本考案の実施の形態における下衣の後面を表す。
【図３】本考案の実施の形態における下衣の上側から見た斜視図を表す。
【図４】本考案の実施の形態における下衣の下側から見た斜視図を表す。
【図５】本考案の実施の形態におけるベルトループ部材の拡大図を表す。
【考案を実施するための形態】
【００２３】
以下、下記実施の形態に基づき本考案をより具体的に説明するが、本考案はもとより下記実施の形態によって制限を受けるものではなく、前・後記の趣旨に適合し得る範囲で適当に変更を加えて実施することも勿論可能であり、それらはいずれも本考案の技術的範囲に包含される。また、図面における種々部材の寸法は、本考案の特徴の理解に資することを優先しているため、実際の寸法とは異なる場合がある。
【００２４】
本考案に係る下衣は、本体部とウエストベルト部を有する下衣であり、ウエストベルト部の肌面側に配されているメッシュ地と、ウエストベルト部の外面側に配されている布地とを有し、布地は、ウエストベルト部の周方向において少なくとも一部がフラシ布であることを特徴とするものである。
【００２５】
本考案において、肌面側とは、下衣の着用時に着用者から見て着用者側を意味する。外面側とは、肌面側とは反対の、外気側を意味する。
【００２６】
本考案において、下衣とは、下半身に着用する衣服であり、ズボン、スラックス、ハーフパンツ等のパンツ、スカート等を含む。
【００２７】
図１および図２に示すように、本考案の下衣１は、本体部１１とウエストベルト部１２を有している。ウエストベルト部１２は、本体部１１の上部にあり、下衣１の着用時に着用者の腹部と接する部分である。
【００２８】
図３に示すように、ウエストベルト部１２の肌面側には、メッシュ地１３が配されている。メッシュ地１３とは、複数の穴を有している布地を指す。
【００２９】
メッシュ地１３と本体部１１との接合方法は特に限定されず、例えば、縫着、接着、溶着等が挙げられる。中でも、縫着が好ましい。メッシュ地１３と本体部１１とがこのように接合されていることにより、メッシュ地１３と本体部１１との接合強度を高めることができる。
【００３０】
メッシュ地１３を構成する材質は特に限定されず、例えば、ポリエステル、ポリウレタン、ナイロンなどの合成繊維、綿、麻等の天然繊維等が挙げられる。中でも、合成繊維であることが好ましい。メッシュ地１３を構成する材質がこのようになっていることにより、メッシュ地１３の強度を高めることができる。また、中でも、ポリエステルであることがより好ましい。メッシュ地１３を構成する材質がこのようになっていることにより、下衣１が蒸れにくくなり、快適性を高めることができる。
【００３１】
メッシュ地１３が有する穴の形状や数等は特に限定されず、下衣１に付与したい通気性能やウエストベルト部１２の強度等に合わせて、メッシュ地１３の穴の形状や数等を適宜調整すればよい。
【００３２】
メッシュ地１３は、ＪＩＳ  Ｌ１０９６のＡ法（フラジール法）に基づき測定される通気度が１００ｃｍ３／ｃｍ２・ｓ以上であることが好ましく、１１０ｃｍ３／ｃｍ２・ｓ以上であることがより好ましく、１２０ｃｍ３／ｃｍ２・ｓ以上であることがさらに好ましい。メッシュ地１３の通気度がこのようになっていることにより、下衣１と着用者との間の熱や湿気を外部に放出しやすくすることができる。
【００３３】
ウエストベルト部１２の外面側には、布地１４が配されている。布地１４の種類は、例えば、織物、編物、不織布等が挙げられる。
【００３４】
布地１４と、本体部１１およびメッシュ地１３の少なくともいずれか一方との接合方法は特に限定されず、例えば、メッシュ地１３と本体部１１との接合方法として挙げた方法を用いることができる。中でも、縫着が好ましい。布地１４と、本体部１１およびメッシュ地１３の少なくともいずれか一方とがこのように接合されていることにより、布地１４と本体部１１、メッシュ地１３との接合を強固なものとすることができる。
【００３５】
布地１４を構成する材質は特に限定されず、例えば、メッシュ地１３を構成する材質として挙げた材質を用いることができる。例えば、布地１４を構成する材料が綿等の天然繊維であれば、吸水性および通気性が高く、下衣１着用時の快適性を高めることができる。また、布地１４を構成する材料がポリエステル等の合成繊維であれば、下衣１の強度を高めることができる。
【００３６】
布地１４の種類は、本体部１１を構成する布の種類と同じであることが好ましい。また、布地１４を構成する材質は、本体部１１を構成する布の材質と同じであることが好ましい。布地１４の種類、材質がこのようになっていれば、下衣１の本体部１１とウエストベルト部１２との外観に統一性を与えることができ、デザイン性のよい下衣１とすることができる。
【００３７】
布地１４と本体部１１を構成する布の少なくともいずれか一方に吸汗加工剤、紫外線反射剤、赤外線反射剤、赤外線吸収剤、涼感加工剤、抗菌剤、消臭剤等の機能剤を含有させてもよい。布地１４と本体部１１を構成する布の少なくともいずれか一方が機能剤を有することにより、下衣１に様々な機能を付与することができる。
【００３８】
図３および図４に示すように、布地１４は、ウエストベルト部１２の周方向において少なくとも一部がフラシ布１５である。フラシ布１５とは、フラシ（ＪＩＳ  Ｌ０１２２にて定義）の状態である布のことであり、布の下部の止め付けを行わずに浮かせた状態としていることを示す。本考案において、布地１４は、ウエストベルト部１２の周方向において４０％以上がフラシ布１５であることが好ましく、５０％以上がフラシ布であることがより好ましく、６０％以上がフラシ布であることがさらに好ましい。フラシ布１５がこのように構成されていることにより、下衣１と着用者との間の熱や湿気をフラシ布１５部分から外部に放出することが可能となる。
【００３９】
メッシュ地１３は、ウエストベルト部１２の肌面側の全周に配されていてもよく、部分的に配されていてもよい。メッシュ地１３がウエストベルト部１２の肌面側の全周に配されている構成であれば、着用者と下衣１との間の熱や湿気を外部へより発散しやすくすることができる。メッシュ地１３がウエストベルト部１２の肌面側において部分的に配されている構成であれば、下衣１の内部の熱や湿気を外部へ放出する機能を十分に有しながら、下衣１のウエストベルト部１２の強度を高いものとすることができる。
【００４０】
メッシュ地１３がウエストベルト部１２の肌面側において部分的に配されている場合、メッシュ地１３は、ウエストベルト部１２の前身頃２よりも後ろ身頃３に多く設けられていることが好ましい。メッシュ地１３がこのように設けられていることにより、着用者と下衣１との間の熱や湿気を外へ放出しやすく、かつ、下衣１のウエストベルト部１２の強度を高めることができる。
【００４１】
メッシュ地１３がウエストベルト部１２の肌面側において部分的に配されている場合、ウエストベルト部１２の後ろ身頃３に配されているメッシュ地１３の面積は、ウエストベルト部１２の前身頃２に配されているメッシュ地１３の面積の１．５倍以上であることが好ましく、２．０倍以上であることがより好ましく、３．０倍以上であることがさらに好ましい。後ろ身頃３に配されているメッシュ地１３の面積と前身頃２に配されているメッシュ地１３の面積の比率の下限値をこのように設定することにより、下衣１の着用者が前屈みの体勢になった際に、下衣１の後ろ身頃３から効率的に下衣１の内部の熱や湿気を外部へ出すことができる。また、ウエストベルト部１２の後ろ身頃３に配されているメッシュ地１３の面積は、ウエストベルト部１２の前身頃２に配されているメッシュ地１３の面積の１５倍以下であることが好ましく、１３倍以下であることがより好ましく、１１倍以下であることがさらに好ましい。後ろ身頃３に配されているメッシュ地１３の面積と前身頃２に配されているメッシュ地１３の面積の比率の上限値をこのように設定することにより、下衣１に通気性を持たせながら、下衣１のウエストベルト部１２の強度を保つことができる。
【００４２】
ウエストベルト部１２の肌面側に配されるメッシュ地１３の数は、１つであってもよく、複数であってもよい。中でも、メッシュ地１３の数は１つであることが好ましい。メッシュ地１３がこのようになっていることにより、下衣１のウエストベルト部１２をより強度の高いものとすることができる。
【００４３】
布地１４の幅Ｌ１は、メッシュ地１３の幅Ｌ２よりも長いことが好ましい。布地１４がこのように構成されていることにより、メッシュ地１３が露出しにくくなり、下衣１のデザイン性を高めることができる。
【００４４】
布地１４の幅Ｌ１は、メッシュ地１３の幅Ｌ２の１．１倍以上であることが好ましく、１．２倍以上であることがより好ましく、１．３倍以上であることがさらに好ましい。布地１４の幅Ｌ１とメッシュ地１３の幅Ｌ２の比率の下限値をこのように設定することにより、メッシュ地１３が露出することをより防止することができる。布地１４の幅Ｌ１とメッシュ地１３の幅Ｌ２の比率の上限値は特に限定されないが、中でも、布地１４の幅Ｌ１はメッシュ地１３の幅Ｌ２の３．０倍以下であることが好ましく、２．５倍以下であることがより好ましく、２．０倍以下であることがさらに好ましい。布地１４の幅Ｌ１とメッシュ地１３の幅Ｌ２の比率の上限値をこのように設定することにより、本体部１１の上部と布地１４との重なりを小さくすることができ、下衣１の着用時の暑さによる不快感を低減することができる。
【００４５】
布地１４は、布地１４の下部と本体部１１の前身頃２および後ろ身頃３の少なくともいずれか一方とが接合されている布地接合部分１６を有していることが好ましい。即ち、布地１４は一部がフラシ布１５であることが好ましい。布地１４がこのように構成されていることにより、フラシ布１５が大きく開くことによってメッシュ地１３が露出し、下衣１のデザイン性が低下することを防ぐことができる。
【００４６】
布地接合部分１６は、１箇所であってもよく、複数箇所であってもよい。中でも、布地接合部分１６は、複数であることが好ましい。布地１４がこのように構成されていることにより、ウエストベルト部１２においてフラシ布１５が大きく開いて、ウエストベルト部１２の肌面側に配されているメッシュ地１３が露出し、下衣１のデザイン性が低下することを防止できる。
【００４７】
布地１４の下部における布地接合部分１６の合計長さは、フラシ布１５の周方向の合計長さよりも短いことが好ましい。布地接合部分１６がこのように構成されていることにより、フラシ布１５部分から下衣１の内部の熱や湿気を外部に放出しつつ、メッシュ地１３の露出を防止できる。
【００４８】
布地１４の下部における布地接合部分１６の合計長さは、フラシ布１５の周方向の合計長さの８０％以上であることが好ましく、８５％以上であることがより好ましく、９０％以上であることがさらに好ましい。布地接合部分１６の合計長さとフラシ布１５の周方向の合計長さとの比率の下限値をこのように設定することにより、フラシ布１５が大きく開きすぎることを防止できる。また、布地１４の下部における布地接合部分１６の合計長さは、フラシ布１５の周方向の合計長さの１００％以下であることが好ましく、９８％以下であることがより好ましく、９５％以下であることがさらに好ましい。布地接合部分１６の合計長さとフラシ布１５の周方向の合計長さとの比率の上限値をこのように設定することにより、フラシ布１５から下衣１と着用者との間の熱や湿気を十分に放出することが可能となる。
【００４９】
前身頃２において、布地１４の下部における布地接合部分１６の合計長さは、フラシ布１５の周方向の合計長さよりも長いことが好ましい。前身頃２において布地接合部分１６がこのように構成されていることにより、下衣１の着用者が前屈みの体勢になった際に、下衣１の後ろ身頃３のウエストベルト部１２のフラシ布１５が開き、より効率的に下衣１の内部の熱や湿気を外部へ出すことができる。
【００５０】
前身頃２において、布地１４の下部における布地接合部分１６の合計長さは、フラシ布１５の周方向の合計長さの１．１倍以上であることが好ましく、１．５倍以上であることがより好ましく、２．０倍以上であることがさらに好ましい。前身頃２における布地接合部分１６の合計長さとフラシ布１５の周方向の合計長さとの比率の下限値をこのように設定することにより、下衣１の着用者が前屈みの体勢となったときに、下衣１の後ろ身頃３のフラシ布１５の下部が開きやすくなって下衣１の内部の熱や湿気を後ろ身頃３から放出しやすくなる。また、前身頃２において、布地１４の下部における布地接合部分１６の合計長さは、フラシ布１５の周方向の合計長さの１０倍以下であることが好ましく、９倍以下であることがより好ましく、８倍以下であることがさらに好ましい。前身頃２における布地接合部分１６の合計長さとフラシ布１５の周方向の合計長さとの比率の上限値をこのように設定することにより、下衣１の後ろ身頃３だけでなく前身頃２からも下衣１の内部の熱や湿気を放出することが可能となる。
【００５１】
下衣１は、ベルトループ部材１７を有していることが好ましい。下衣１がベルトループ部材１７を有していることにより、下衣１のウエストベルト部１２にベルトを付けることができ、下衣１の着用時に下衣１がずり落ちることを防止できる。
【００５２】
ベルトループ部材１７を構成する材質は特に限定されず、例えば、メッシュ地１３を構成する材質として挙げた材質を用いることができる。ベルトループ部材１７を構成する材質は、本体部１１を構成する布および布地１４の材質と同じであることが好ましい。また、ベルトループ部材１７を構成する布の種類は、本体部１１を構成する布および布地１４の種類と同じであることが好ましい。ベルトループ部材１７の種類、材質がこのようになっていれば、下衣１のデザイン性を向上させることができる。
【００５３】
ベルトループ部材１７の長さＬ３は、布地１４の幅Ｌ１よりも大きいことが好ましい。ベルトループ部材１７がこのように構成されていることにより、ベルトループ部材１７にベルトを通しやすくなる。
【００５４】
ベルトループ部材１７の長さＬ３は、布地１４の幅Ｌ１の１．０倍以上であることが好ましく、１．２倍以上であることがより好ましく、１．４倍以上であることがさらに好ましい。ベルトループ部材１７の長さＬ３と布地１４の幅Ｌ１との比率の下限値をこのように設定することにより、ベルトループ部材１７にベルトを通すことがより容易となる。また、ベルトループ部材１７の長さＬ３は、布地１４の幅Ｌ１の２．０倍以下であることが好ましく、１．８倍以下であることがより好ましく、１．６倍以下であることがさらに好ましい。ベルトループ部材１７の長さＬ３と布地１４の幅Ｌ１との比率の上限値をこのように設定することにより、ベルトループ部材１７に通したベルトが上下に大きく動くことを防ぐことができ、下衣１のずれ落ち防止効果を高めることができる。
【００５５】
ベルトループ部材１７は、本体部１１およびウエストベルト部１２の少なくともいずれか一方に接合されていることが好ましい。ベルトループ部材１７の接合方法は特に限定されず、例えば、縫着、接着、溶着、ボタンや面ファスナー等による接合等が挙げられる。中でも、縫着が好ましい。ベルトループ部材１７が縫着によって接合されていることにより、ベルトループ部材１７と本体部１１およびウエストベルト部１２の少なくともいずれか一方との接合強度を高くすることができ、また、ベルトループ部材１７にベルトを通しやすくなる。
【００５６】
ベルトループ部材１７は、ベルトループ部材１７の一方端部７１、他方端部７２、および中間部７３において本体部１１およびウエストベルト部１２の少なくともいずれか一方に接合されていることが好ましい。ベルトループ部材１７がこのように接合されていることにより、ベルトループ部材１７の接合強度を高めることができる。
【００５７】
ベルトループ部材１７の一方端部７１は、布地１４の下端部よりも上側に接合されていることが好ましい。即ち、ベルトループ部材１７の一方端部７１は、ウエストベルト部１２の布地１４に接合されていることが好ましい。中でも、布地１４の幅の中間よりも上側にベルトループ部材１７の一方端部７１が接合されていることがより好ましい。ベルトループ部材１７の一方端部７１がこのように接合されていることにより、下衣１にベルトを取り付けて着用した際に、下衣１のウエストベルト部１２の上部にベルトが位置するため、下衣１がよりずり落ちにくくなる。
【００５８】
ベルトループ部材１７の中間部７３は、布地１４の下端部よりも下側に接合されていることが好ましい。即ち、ベルトループ部材１７の中間部７３は、下衣１の本体部１１に接合されていることが好ましい。中でも、本体部１１の上部にベルトループ部材１７の中間部７３が接合されていることがより好ましい。また、ベルトループ部材１７の一方端部７１の接合位置から中間部７３の接合位置までの距離は、布地１４の幅よりも大きいことが好ましい。ベルトループ部材１７の中間部７３がこのように接合されていることにより、ベルトループ部材１７にベルトを通しやすくなり、また、ベルトを付けた状態であっても、布地１４のフラシ布１５から下衣１の内部の空気を放出し、外部の空気を下衣１の内部に取り入れやすくできる。
【００５９】
ベルトループ部材１７の他方端部７２は、布地１４の下端部よりも上側であり布地１４の上端部よりも下側、かつベルトループ部材１７の一方端部７１の接合部分よりも下側に接合されていることが好ましい。即ち、ベルトループ部材１７の一方端部７１と中間部７３との間に他方端部７２が接合されていることが好ましい。中でも、布地１４の幅の中間よりも下側にベルトループ部材１７の他方端部７２が接合されていることがより好ましい。ベルトループ部材１７の他方端部７２がこのように接合されていることにより、布地１４のフラシ布１５の下部が開きやすくなり、下衣１の通気性を高めることが可能となる。
【００６０】
ベルトループ部材１７の他方端部７２は、本体部１１に接合されていてもよく、布地１４に接合されていてもよい。ベルトループ部材１７の他方端部７２が本体部１１に接合されていれば、布地１４のフラシ布１５の下部の開きを妨げず、また、ベルトを着用した際に下衣１をよりずり落ちにくくできる。ベルトループ部材１７の他方端部７２が布地１４に接合されていれば、布地１４のフラシ布１５の下部がより開きやすくなり、下衣１の通気性をさらに高めることができる。
【００６１】
ベルトループ部材１７の接合の順は特に限定されないが、一方端部７１、中間部７３、他方端部７２の順、あるいは、他方端部７２、中間部７３、一方端部７１の順に接合することが好ましい。ベルトループ部材１７をこのように接合することにより、ベルトループ部材１７を所望の位置に接合しやすくなる。
【００６２】
布地接合部分１６とベルトループ部材１７とは、互いに重なり合わないことが好ましい。即ち、ベルトループ部材１７が設けられている箇所は、布地接合部分１６がない箇所であることが好ましい。ベルトループ部材１７がこのように構成されていることにより、フラシ布１５の下部が過度に開き、内部のメッシュ地１３が露出することを防止することができる。
【００６３】
後ろ身頃３において、布地１４の下部における布地接合部分１６の長さＬ４は、ベルトループ部材１７と本体部１１とが接合されているベルトループ接合部分１８の長さＬ５よりも短いことが好ましい。布地接合部分１６がこのように構成されていることにより、フラシ布１５の下部を開きやすくすることができ、下衣１の内部の熱や湿気をより外部へ放出しやすくなる。
【００６４】
布地接合部分１６の長さＬ４は、ベルトループ接合部分１８の長さＬ５の６０％以上であることが好ましく、６５％以上であることがより好ましく、７０％以上であることがさらに好ましい。布地接合部分１６の長さＬ４とベルトループ接合部分１８の長さＬ５との比率の下限値をこのように設定することにより、フラシ布１５の下部が過度に開くことを十分に防止できる。また、布地接合部分１６の長さＬ４は、ベルトループ接合部分１８の長さＬ５の９０％以下であることが好ましく、８５％以下であることがより好ましく、８０％以下であることがさらに好ましい。布地接合部分１６の長さＬ４とベルトループ接合部分１８の長さＬ５との比率の上限値をこのように設定することにより、下衣１が十分な通気性を有する程度にフラシ布１５の下部が開くようにすることができる。
【００６５】
ウエストベルト部１２の上部に伸縮部材が設けられていることも好ましい。中でも、ウエストベルト部１２の下衣１がこのように構成されていることにより、下衣１の着用時にベルトを使用しなくても下衣１がずり落ちることを防止することができる。
【００６６】
伸縮部材を構成する材料は、伸縮性を有するものであれば特に限定されないが、例えば、天然ゴムや合成ゴム等が挙げられる。中でも、合成ゴムであることが好ましい。伸縮部材がこのように構成されていることにより、耐久性を向上することができる。
【００６７】
伸縮部材の形状は特に限定されず、例えば、平紐状や丸紐状等が挙げられる。中でも、平紐状であることが好ましい。伸縮部材がこのように構成されていることにより、下衣１のウエストベルト部１２が着用者に密着し、より下衣１がずり落ちにくくなる。
【００６８】
本体部１１は、後ろ身頃３にヨーク１９を有していてもよい。ヨーク１９とは、ＪＩＳ  Ｌ０１２２にて定義されており、身頃の布地の切り替えた部分のことを指す。ヨーク１９は、ウエストベルト部１２の周方向において少なくとも一部がフラシ布１５であることが好ましい。下衣１がこのように構成されていることにより、ウエストベルト部１２のフラシ布１５に加えて、本体部１１のフラシ布１５からも下衣１の内部の熱や湿気を放出することができ、下衣１の通気性をより高めることが可能となる。
【００６９】
ヨーク１９の肌面側には、メッシュ地を有していてもよく、有していなくてもよい。ヨーク１９の肌面側にメッシュ地を有している場合、下衣１のヨーク１９の肌面側の肌当たりをよくすることができる。ヨーク１９の肌面側にメッシュ地を有していない場合、ヨーク１９部分の通気性をより高めることができる。
【００７０】
ヨーク１９は、ヨーク１９の下部と本体部１１の後ろ身頃３とが接合されているヨーク接合部分２０を有していることが好ましい。ヨーク１９がこのように構成されていることにより、ヨーク１９のフラシ布１５部分が過度に開きすぎることを防ぐことができる。
【００７１】
ヨーク１９の下部におけるヨーク接合部分２０の合計長さは、ヨーク１９のフラシ布１５の周方向の合計長さよりも短いことが好ましい。ヨーク接合部分２０がこのように構成されていることにより、ヨーク１９のフラシ布１５から下衣１の内部の熱や湿気を外部に十分に放出でき、さらにフラシ布１５の下部が大きく開きすぎることを防止できる。
【００７２】
ヨーク１９の下部におけるヨーク接合部分２０の合計長さは、ヨーク１９のフラシ布１５の周方向の合計長さの３％以上であることが好ましく、４％以上であることがより好ましく、５％以上であることがさらに好ましい。ヨーク接合部分２０の合計長さとヨーク１９のフラシ布１５の周方向の合計長さとの比率の下限値をこのように設定することにより、フラシ布１５が大きく開きすぎることを防止できる。また、ヨーク１９の下部におけるヨーク接合部分２０の合計長さは、ヨーク１９のフラシ布１５の周方向の合計長さの３０％以下であることが好ましく、２０％以下であることがより好ましく、１０％以下であることがさらに好ましい。ヨーク接合部分２０の合計長さとヨーク１９のフラシ布１５の周方向の合計長さとの比率の上限値をこのように設定することにより、ヨーク１９のフラシ布１５から下衣１と着用者との間の熱や湿気を十分に放出することが可能となる。
【００７３】
本考案の下衣１は、パンツであることが好ましく、運動時に着用するパンツであることがより好ましい。中でも、ゴルフ用の下衣１であることが好ましい。ゴルフのプレーでは、前屈みの体勢となることが多いため、フラシ布１５の下部が開くことが多くなり、下衣１の内部の空気を外部に放出しやすく、快適にゴルフをプレーすることが可能となる。
【００７４】
以上のように、本考案の下衣は、本体部とウエストベルト部を有する下衣であり、ウエストベルト部の肌面側に配されているメッシュ地と、ウエストベルト部の外面側に配されている布地とを有し、布地は、ウエストベルト部の周方向において少なくとも一部がフラシ布であることを特徴とする。このような構成であることにより、下衣に通気性を持たせることができ、下衣と着用者との間に熱や湿気がこもることを防ぐことができる。
【符号の説明】
【００７５】
１：下衣
２：前身頃
３：後ろ身頃
１１：本体部
１２：ウエストベルト部
１３：メッシュ地
１４：布地
１５：フラシ布
１６：布地接合部分
１７：ベルトループ部材
１８：ベルトループ接合部分
１９：ヨーク
２０：ヨーク接合部分
７１：ベルトループ部材の一方端部
７２：ベルトループ部材の他方端部
７３：ベルトループ部材の中間部
Ｌ１：布地の幅
Ｌ２：メッシュ地の幅
Ｌ３：ベルトループ部材の長さ
Ｌ４：布地接合部分の長さ
Ｌ５：ベルトループ接合部分の長さ
【図１】
0003215415.tif 000003
【図２】
0003215415.tif 000004
【図３】
0003215415.tif 000005
【図４】
0003215415.tif 000006
【図５】
0003215415.tif 000007
【手続補正書】
【提出日】平成30年1月16日(2018.1.16)
【手続補正１】
【補正対象書類名】実用新案登録請求の範囲
【補正対象項目名】全文
【補正方法】変更
【補正の内容】
【実用新案登録請求の範囲】
【請求項１】
本体部とウエストベルト部を有する下衣であり、
前記ウエストベルト部の肌面側に配されているメッシュ地と、
前記ウエストベルト部の外面側に配されている布地とを有し、
前記布地は、前記ウエストベルト部の周方向において少なくとも一部がフラシ布であることを特徴とする下衣。
【請求項２】
前記メッシュ地は、前記ウエストベルト部の前身頃よりも後ろ身頃に多く設けられている請求項１に記載の下衣。
【請求項３】
前記メッシュ地のＪＩＳ  Ｌ１０９６  Ａ法（フラジール形法）に基づき測定される通気度は、１００ｃｍ３／ｃｍ２・ｓ以上である請求項１または２に記載の下衣。
【請求項４】
前記布地の幅は、前記メッシュ地の幅よりも長い請求項１〜３のいずれか一項に記載の下衣。
【請求項５】
前記布地は、前記布地の下部と前記本体部の前身頃および後ろ身頃の少なくともいずれか一方とが接合されている布地接合部分を有しており、
前記布地の下部における前記布地接合部分の合計長さは、前記フラシ布の周方向の合計長さよりも短い請求項１〜４のいずれか一項に記載の下衣。
【請求項６】
ベルトループ部材を有しており、
前記ベルトループ部材の長さは、前記布地の幅よりも長い請求項１〜５のいずれか一項に記載の下衣。
【請求項７】
前記ベルトループ部材は、前記ベルトループ部材の一方端部、他方端部、および中間部において前記本体部および前記ウエストベルト部の少なくともいずれか一方に接合されており、
前記ベルトループ部材の前記一方端部は、前記布地の下端部よりも上側に接合されており、
前記ベルトループ部材の前記中間部は、前記布地の下端部よりも下側に接合されており、
前記ベルトループ部材の前記他方端部は、前記布地の下端部よりも上側であり前記布地の上端部よりも下側、かつ前記ベルトループ部材の前記一方端部の接合部分よりも下側に接合されている請求項６に記載の下衣。
【請求項８】
前記本体部の前身頃において、前記布地の下部における前記布地接合部分の合計長さは、前記フラシ布の周方向の合計長さよりも長い請求項５に記載の下衣。
【請求項９】
前記布地は、前記布地の下部と前記本体部の前身頃および後ろ身頃の少なくともいずれか一方とが接合されている布地接合部分を有しており、
前記本体部の後ろ身頃において、前記布地の下部における前記布地接合部分の長さは、前記ベルトループ部材と前記本体部とが接合されているベルトループ接合部分の長さよりも短い請求項６または７に記載の下衣。
【請求項１０】
ベルトループ部材を有しており、
前記布地は、前記布地の下部と前記本体部の前身頃および後ろ身頃の少なくともいずれか一方とが接合されている布地接合部分を有しており、
前記布地接合部分と前記ベルトループ部材とは、互いに重なり合わない請求項５〜９のいずれか一項に記載の下衣。
【請求項１１】
前記ウエストベルト部の上部に伸縮部材が設けられている請求項１〜１０のいずれか一項に記載の下衣。
【請求項１２】
前記本体部は、前記本体部の後ろ身頃にヨークを有しており、
前記ヨークは、前記ウエストベルト部の周方向において少なくとも一部がフラシ布である請求項１〜１１のいずれか一項に記載の下衣。
【請求項１３】
前記ヨークは、前記ヨークの下部と前記本体部の後ろ身頃とが接合されているヨーク接合部分を有しており、
前記ヨークの下部における前記ヨーク接合部分の合計長さは、前記ヨークの前記フラシ布の周方向の合計長さよりも短い請求項１２に記載の下衣。
【請求項１４】
パンツである請求項１〜１３のいずれか一項に記載の下衣。
【請求項１５】
ゴルフ用である請求項１〜１４のいずれか一項に記載の下衣。